【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
複合材料補修の熱管理のための装置であって、
２次元の熱電対アレイ内に配置された複数の熱電対であって、前記複数の熱電対が間隔を空けられた相対位置において前記熱電対アレイ内に固定され、前記熱電対アレイ内の前記複数の熱電対が、前記熱電対アレイ内の前記複数の熱電対の望ましい格子状配置及び前記熱電対アレイ内の前記複数の熱電対の間隔を空けられた相対位置を維持する柔軟なパネル上に固定され、前記柔軟なパネル上に固定される前記熱電対が複合構造体に取り付け可能であり、前記複合構造体の補修領域を覆うように寸法決定される、複数の熱電対、
前記熱電対アレイ上の少なくとも１つのアレイターゲット、
前記複合構造体、前記複合構造体に取り付けられた前記熱電対アレイ、及び前記熱電対アレイ上の前記アレイターゲットを、光学的にスキャンするように動作可能な、写真測量用スキャナシステム、
前記熱電対アレイ内の前記複数の熱電対と通信し、前記複数の熱電対のうちの熱電対から温度情報を受信する制御システムであって、前記写真測量用スキャナシステムとも通信し、前記写真測量用スキャナシステムによってスキャンされた情報を受信する、制御システム、並びに
前記制御システムと通信する光投影システムであって、前記熱電対アレイ内の熱電対の識別、及び前記熱電対のリアルタイムの温度についての情報を、前記熱電対の位置に投影するように、前記制御システムによって操作可能な、光投影システムを備える、装置。
【請求項２】
前記熱電対アレイ内の前記複数の熱電対が、前記柔軟なパネルを形成し、かつ、前記熱電対アレイ内の前記複数の熱電対を、前記複数の熱電対の前記間隔を開けられた相対位置において柔軟なパネル上に固定する耐熱性膜の２つの薄い層の間にサンドウィッチされる、請求項１に記載の装置。
【請求項３】
前記少なくとも１つのアレイターゲットが、前記熱電対アレイのサイズ及び前記熱電対アレイ内の熱電対の数についての光学的にスキャン可能な情報を前記アレイターゲット上に有する、請求項１に記載の装置。
【請求項４】
前記熱電対アレイ上の前記少なくとも１つのアレイターゲットが、前記熱電対アレイ上の複数のアレイターゲットのうちの１つである、請求項１に記載の装置。
【請求項５】
複数の分離した写真測量用構造体ターゲットであって、各々が、前記補修領域の周りの前記複合構造体上の前記構造体ターゲットの間隔を空けられた位置において前記複合構造体に取り付け可能であり、各々が、前記構造体ターゲットの識別についての光学的にスキャン可能な情報を前記構造体ターゲット上に有する、複数の構造体ターゲット、並びに
写真測量用スキャナシステムであって、前記複合構造体に取り付けられた前記複数の分離した構造体ターゲットを有する前記複合構造体を光学的にスキャンし、前記補修領域の周りの前記複合構造体上の前記複数の構造体ターゲットの前記位置についての情報、前記複合構造体上の各位置における各構造体ターゲットのアイデンティティーについての情報、前記補修領域についての情報、前記複数の構造体ターゲットの前記位置に対する前記補修領域の位置についての情報、及び前記複合構造体に取り付けられた各構造体ターゲットに対する、前記補修領域に対する、且つ前記複合構造体の前記補修領域の前記位置に対する、前記複合構造体に取り付けられた前記熱電対アレイ内の前記複数の熱電対の各熱電対の前記位置についての情報を受信するように動作可能な、スキャナシステムを更に備える、請求項１に記載の装置。
【請求項６】
前記熱電対アレイに接続された複数の導体であって、前記複数の導体の各導体が、前記熱電対アレイ内の前記複数の熱電対のうちの熱電対と通信する近位端、及びターミナルブロックと通信する反対側の遠位端を有する、複数の導体、並びに
ターミナルレセプタクルを有するホットボンダーであって、前記ターミナルレセプタクルと前記ターミナルブロックとが、相互に取り外し可能に接続でき、前記熱電対アレイ内の前記複数の熱電対を前記ホットボンダーと電気的に接続させる、ホットボンダーを更に備える、請求項１に記載の装置。
【請求項７】
前記熱電対アレイが前記複合構造体に取り付けられたときに、前記熱電対アレイを覆って前記複合構造体に取り付け可能な、熱ブランケット、及び
前記熱ブランケット上の少なくとも１つのブランケットターゲットであって、前記熱ブランケットのサイズ及び前記熱ブランケットの方向についての光学的にスキャン可能な情報を前記ブランケットターゲット上に有する、少なくとも１つのブランケットターゲットを更に備える、請求項１に記載の装置。
【請求項８】
前記熱ブランケット上の前記少なくとも１つのブランケットターゲットが、前記熱ブランケット上の複数のブランケットターゲットのうちの１つである、請求項７に記載の装置。
【請求項９】
前記熱ブランケットが前記熱電対アレイを覆って前記複合構造体に取り付けられたときに、前記光投影システムが、前記熱電対の識別及び前記熱電対のリアルタイムの温度についての情報を、前記熱電対の位置に対して前記熱ブランケット上に投影するように、前記制御システムによって操作可能である、請求項７又は８に記載の装置。
【請求項１０】
前記熱ブランケットが前記熱電対アレイを覆って前記複合構造体に取り付けられたときに、前記熱ブランケットを覆って前記複合構造体に取り付け可能な、真空バッグアセンブリを更に備え、
前記光投影システムが、前記熱電対の識別及び前記熱電対のリアルタイムの温度についての情報を、前記熱電対の位置に対して前記真空バッグ上に投影するように、前記制御システムによって操作可能である、請求項９に記載の装置。
【請求項１１】
複合構造体の補修領域に付けられた複合プライ及び接着剤の硬化を制御するための、前記補修領域に付けられた前記複合プライ及び前記接着剤の熱管理の方法であって、
複数の熱電対を２次元の熱電対アレイ内に配置することであって、前記複数の熱電対が前記熱電対アレイ内の間隔を空けられた相対位置において固定される、配置すること、
前記熱電対アレイ内の前記複数の熱電対を柔軟なパネル上に固定し、前記熱電対アレイ内の前記複数の熱電対の望ましい格子状配置及び前記熱電対アレイ内の前記複数の熱電対の間隔を空けられた相対位置を維持し、
前記熱電対アレイを前記複合構造体に取り付けることであって、前記熱電対アレイが前記複合構造体の前記補修領域に付けられた前記複合プライ及び前記接着剤を覆う、取り付けること、
複数のアレイターゲットを前記熱電対アレイ上に取り付けることであって、前記アレイターゲットが、前記熱電対アレイ内の前記熱電対の識別と、前記熱電対アレイ内の他の熱電対に対する、且つ前記アレイターゲットに対する、前記熱電対アレイ内の前記熱電対の位置とについての光学的にスキャン可能な情報を有する、取り付けること、
前記複合構造体、前記複合構造体に取り付けられた前記熱電対アレイ、及び前記熱電対アレイ上の前記アレイターゲットを、写真測量用スキャナシステムを用いて光学的にスキャンし、前記アレイターゲット上の前記スキャン可能な情報を受信すること、
前記熱電対アレイ内の前記複数の熱電対及び前記写真測量用スキャナシステムを、制御システムと通信させることであって、前記制御システムが、前記複数の熱電対から温度情報を受信し、前記写真測量用スキャナシステムによってスキャンされた情報を受信する、通信させること、並びに
前記制御システムを、前記制御システムによって制御される光投影システムと通信させて、前記熱電対の識別及び前記熱電対のリアルタイムの温度についての情報を、前記熱電対アレイ内の前記熱電対の位置に投影することを含む、方法。
【請求項１２】
前記熱電対アレイを覆って前記複合構造体に熱ブランケットを取り付けること、及び
前記熱ブランケット上に複数のブランケットターゲットを取り付けることであって、前記ブランケットターゲットが、前記熱ブランケットのサイズ及び前記熱ブランケットの方向についての光学的にスキャン可能な情報を前記ブランケットターゲット上に有する、取り付けることを更に含む、請求項１１に記載の方法。
【請求項１３】
前記制御システムによって前記光投影システムを制御して、前記熱電対アレイ内の前記熱電対の識別及び前記熱電対のリアルタイムの温度についての情報を、前記熱電対の位置に対して前記熱ブランケット上に投影することを更に含む、請求項１２に記載の方法。
【請求項１４】
前記熱ブランケットを覆って前記複合構造体に真空バッグを取り付けること、及び
前記制御システムによって前記光投影システムを制御して、前記熱電対の識別及び前記熱電対のリアルタイムの温度についての情報を、前記熱電対の位置に対して前記真空バッグ上に投影することを更に含む、請求項１３に記載の方法。
【請求項１５】
前記柔軟なパネルを形成し、かつ、前記熱電対アレイ内の前記複数の熱電対を前記複数の熱電対の前記間隔を開けられた相対位置において前記柔軟なパネル上に固定する耐熱性膜の２つの薄い層の間に前記熱電対アレイ内の前記複数の熱電対をサンドウィッチすることにより、前記熱電対アレイ内の前記複数の熱電対を前記柔軟なパネル上に固定することを更に含む、請求項１４に記載の方法。
【手続補正２】
【補正対象書類名】明細書
【補正対象項目名】００５３
【補正方法】変更
【補正の内容】
【００５３】
本発明の範囲から逸脱せずに、本明細書中に記載され図示された装置の構成及びその装置の構成方法に様々な改良を加えることができるであろうから、先ほどの記述に含まれ、添付図面に示された全ての対象となるものは、限定というよりむしろ例示として解釈されたい。したがって、本開示の幅広さ及び範囲は、先述の例示的な実施形態のうちの任意のものによって限定されるべきではなく、本明細書に添付される以下の特許請求の範囲及びそれらと同等のものによってのみ定義されるべきである。
さらに、本開示は下記条項による実施形態を含む。
（条項１）
複合材料補修の熱管理のための装置であって、
複数の分離した構造体ターゲットであって、各々が、補修領域の周りの複合構造体上の前記構造体ターゲットの間隔を空けられた位置において前記複合構造体に取り付け可能であり、各々が、前記構造体ターゲットの識別についての光学的にスキャン可能な情報を前記構造体ターゲット上に有する、複数の構造体ターゲット、
２次元の熱電対アレイ内に配置された複数の熱電対であって、前記複数の熱電対が間隔を空けられた相対位置において前記熱電対アレイ内に固定され、前記熱電対アレイが前記複合構造体に取り付け可能であり、前記熱電対アレイが前記複合構造体に取り付けられたときに、前記熱電対アレイが、前記複合構造体の前記補修領域に付けられた複合プライ及び接着剤を完全に覆うように寸法決定される、複数の熱電対、
前記熱電対アレイ上の複数のアレイターゲットであって、各々が、前記熱電対アレイ内の各熱電対の識別と、前記熱電対アレイ内の他の熱電対に対する、且つ各アレイターゲットに対する、前記熱電対アレイ内の各熱電対の位置とについての光学的にスキャン可能な情報を前記アレイターゲット上に有する、複数のアレイターゲット、
前記複合構造体を光学的にスキャンするように動作可能な写真測量用スキャナシステムであって、前記複数の構造体ターゲットが前記複合構造体に取り付けられ、前記熱電対アレイが前記複合構造体に取り付けられ、且つ前記アレイターゲットが前記熱電対アレイ上に取り付けられている、スキャナシステム、
前記熱電対アレイ内の前記複数の熱電対と通信して、前記複数の熱電対のうちの熱電対から温度情報を受信する制御システムであって、前記写真測量用スキャナシステムとも通信し、前記写真測量用スキャナシステムによってスキャンされた情報を受信する、制御システム、並びに
前記制御システムと通信する光投影システムであって、前記熱電対の識別及び前記熱電対のリアルタイムの温度についての情報を、前記熱電対アレイ内の前記熱電対の位置に投影するように、前記制御システムによって操作可能な、光投影システムを備える、装置。
（条項２）
前記熱電対アレイが前記複合構造体に取り付けられたときに、前記熱電対アレイを覆って前記複合構造体に取り付け可能な、熱ブランケット、並びに
前記熱ブランケット上の複数のブランケットターゲットであって、各々が、前記熱ブランケットのサイズ及び前記熱ブランケットの方向についての光学的にスキャン可能な情報を前記ブランケットターゲット上に有する、複数のブランケットターゲットを更に備える、条項１に記載の装置。
（条項３）
前記熱ブランケットが前記熱電対アレイを覆って前記複合構造体に取り付けられたときに、前記光投影システムが、前記熱電対の位置における前記熱電対の識別及び前記熱電対のリアルタイムの温度についての情報を、前記熱電対の位置に対して前記熱ブランケット上に投影するように、前記制御システムによって操作可能である、条項２に記載の装置。
（条項４）
前記熱ブランケットが前記熱電対アレイを覆って前記複合構造体に取り付けられたときに、前記熱ブランケットを覆って前記複合構造体に取り付け可能な、真空バッグを更に備え、
前記光投影システムが、前記熱電対の位置における前記熱電対の識別及び前記熱電対のリアルタイムの温度についての情報を、前記熱電対の位置に対して前記真空バッグ上に投影するように、前記制御システムによって操作可能である、条項３に記載の装置。
（条項５）
前記熱電対アレイに接続された複数の導体であって、前記複数の導体の各導体が、前記熱電対アレイ内の前記複数の熱電対のうちの熱電対と通信する近位端、及びターミナルブロックと通信する反対側の遠位端を有する、複数の導体、並びに
ターミナルレセプタクルを有するホットボンダーであって、前記ターミナルレセプタクルと前記ターミナルブロックとが、相互に取り外し可能に接続でき、前記熱電対アレイ内の前記複数の熱電対を前記ホットボンダーと電気的に接続させる、ホットボンダーを更に備える、条項１に記載の装置。